(57)【特許請求の範囲】
【請求項１】
おしぼり成形機のベルトコンベヤー２の上位回送面３上に、シリコン成分を含浸せしめた無端帯状の非粘着性のシリコン含浸ベルトコンベヤー１を前記ベルトコンベヤー２の搬送方向と平行に設け、シリコン含浸ベルトコンベヤー１の下位回送面５′側への反転端部に上側から先端側が揺動自在の腕杆９の先端部に駆動プーリー６と平行に取付けた上段粘着ローラー７を常に押し付けて回転せしめ、シリコン含浸ベルトコンベヤー１の下位回送面側への反転端部の斜め下側位置に下端側が揺動する支持腕杆１４の先端に駆動プーリー６と平行に釣支された下段粘着ローラー１２を設け、該下段粘着ローラー１２の前記駆動プーリー４の取付け位置とは反対側の斜め上側位置に、非粘着性ローラー１７を駆動プーリー６と平行に設け、前記下段粘着ローラー１２をバネ１６で非粘着性ローラー１７に常に押し付けて回転せしめ、前記シリコン含浸ベルトコンベヤー１と上段粘着ローラー７間の通過でタオルの上面側のゴミを、下段粘着ローラー１２と非粘着性ローラー１７間の通過でタオルの下面側のゴミを各除去する二段階に分けてゴミを除去することを特徴とするタオルのゴミ取り装置。
【発明の詳細な説明】
【０００１】
【発明の属する技術分野】
本発明は、おしぼり自動包装機に供給するおしぼり用のタオルのゴミ取り装置に関する発明である。
【０００２】
【従来の技術】
従来、おしぼり自動包装機に供給するおしぼり用のタオルのゴミ取り装置としては、おしぼり自動包装機でおしぼり用のタオルをロール状の所定形状に整形する整形機構の前段を形成する水平搬送面の上側および／または下側にブラシ体と共に、粘着ローラーを設置した構成のものが知られている。（例えば、実公平７−１５５１８号公報参照）しかしながら、粘着ローラーは、粘着性の強力なものを用いないと高速で処理する場合は確実なゴミ取り効果が期待できず、より確実なゴミ取り効果を奏するためには一層強力な粘着ローラーを用いる傾向にあるが、強力な粘着層を有する粘着ローラーとの間に水平搬送面上に載置したおしぼり用のタオルを通過さす従来の方法では、先ず、下側のみに粘着ローラーが設置されている場合は、上側から手でおさえながら粘着ローラー上を移動させなければならず円滑に移動するには熟練を要し、また、上側のみに粘着ローラーが設置されている場合は、おしぼり用のタオルを粘着ローラーの下を通過させている間は問題ないが、おしぼりが通過後には、粘着ローラーが上側より自重及び押し付け力により水平搬送面に密着して後続のおしぼりの先端が入りにくゝ、況んや、水平搬送面を中心に、上下に粘着ローラーを配置して水平方向に移動しタオルを上下から粘着ローラーで挾んだ構成のものでは、タオルが通過した途端に強力な粘着ローラー同士がくっつくので尚更、後続のタオルが送り込めない問題点を有していた。
【０００３】
【発明が解決しようとする課題】
本発明はこれらの問題点を解決し、おしぼり自動包装機に高速、且つ、連続的に供給されるおしぼり用タオルの上下面に付着している毛髪等のゴミを強力な粘着性の粘着ローラーを用いて確実にゴミ取りができ、しかも高速処理が可能で、おしぼり自動包装機の作業能率の向上に大きく寄与するおしぼり用タオルのゴミ取り装置を提供することを目的として発明されたものである。
【０００４】
【課題を解決するための手段】
本発明のタオルのゴミ取り装置は、おしぼり成形機の無端状のベルトコンベヤーの上位回送面の上側位置に、無端帯状のシリコン含浸ベルトコンベヤーを同一搬送方向に斜設し、シリコン含浸ベルトコンベヤーの上位回送面の下位回送面側への反転端部に先端側が揺動する支持腕杆の先端に取付けた上段粘着ローラーを前記上位回送面に回転自在に上側から押し付けて共に回転せしめ、前記シリコン含浸ベルトコンベヤーの下位回送面への反転端部の斜め下方位置に先端側が揺動する支持腕杆の先端に釣支した下側粘着ローラーを設け、下段粘着ローラーを押し付けて共に密着回転するシリコン層で表面を被覆した非粘着性ローラーを軸受して回転せしめ、シリコン混入ベルトコンベヤー上に供給したおしぼり用のタオルを上段粘着ローラーの下を通過さすことで上面側のゴミを付着除去し、更に、下段粘着ローラーと非粘着性ローラー間を斜め下に向かって通過さすことにより、タオルの下面側のゴミを付着除去し、両面のゴミを除去したタオルをおしぼり成形機のベルトコンベヤー上に供給するものである。
【０００５】
【発明の実施の形態】
シリコン含浸ベルトコンベヤー１は、綿の芯体にシリコンを含浸させて帯状に形成した無端帯状のベルトコンベヤーで、公知のおしぼり成形機（例えば、実公平７−１５５１８号公報参照）の無端帯状のベルトコンベヤー２の上位回送面３の搬送始点側（図１において左端側）のプーリー４の上側位置に斜め上方向に向かって上位回送面５が回動するように斜設する。さらに詳しくは、シリコン含浸ベルトコンベヤー１の上位回送面５が下位回送面５′に向かって反転する搬送終点側（図１において右端側の下位への反転側）の駆動プーリー６は前記プーリー４と平行で、且つ、上位回送面３上に位置するように斜設する。
上段粘着ローラー７は、円筒形の表面に粘着層が形成されており、そしてベルトコンベヤー２上に幅方向に設けた枢杆８を中心に斜め下に向かって先端側が揺動自在に取付けた左右の支持腕杆９，９によって回転軸１０が支えられており、回転軸１０を中心に上段粘着ローラー７は回転し、バネ１１の下向きの牽引力によって上位回送面５の下位回送面５′側への反転端部に常に押し付けられてシリコン含浸ベルトコンベヤー１の回転力を受けて共に回転するように取付ける。
下段粘着ローラー１２は、円筒形の表面に粘着層が形成されており、駆動プーリー６の前記ベルトコンベヤー２の搬送側方向の斜め下側位置に枢杆１３を中心に下端側が揺動する支持腕杆１４，１４の先端回転軸１５にて回転自在に駆動プーリー６と平行に釣支されており、バネ１６により支持腕杆１４を後述する非粘着性ローラー１７側に牽引して下段粘着ローラー１２を非粘着性ローラー１７に常に押し付け共に回転するように設ける。
非粘着性ローラー１７は円筒形の表面にシリコンゴムで形成したチューブを密嵌被覆して形成し、前記下段粘着ローラー１２と平行に回転軸１８を中心に、下段粘着ローラー１２の前記駆動プーリー６の取付け位置とは反対側の斜め上方向の位置に、軸受回転するように設けて、前記非粘着性ローラー１７に外周面が当接回転するように取付ける。
スプロケット１９及び２０は各々、駆動プーリー６及び非粘着性ローラー１７の回転軸に固着して駆動プーリー６及び非粘着性ローラー１７を回転するスプロケットでスプロケット１９及び２０に巻掛けしたチエン２１は駆動モーター２２のスプロケット２３及びテンション用スプロケット２４に巻掛けして駆動モーター２２により回転する。
【０００６】
以下、この実施例の装置の動作を図１及び図２に基づいて説明すると、駆動モーター２２のスプロケット２３を回転するとチエン２１が巻掛けされているスプロケット１９及び２０、テンション用スプロケット２４が一斉に回転するのでシリコン含浸コンベヤー１及びそれにバネ１１の力で押し付けられている上段粘着ローラー７と、更に非粘着性ローラー１７及びそれにバネ１６の力で押し付けられている下段粘着ローラー１２も共に一斉に回転する。この場合、上段粘着ローラー７及び下段粘着ローラー１２は、強力な粘着性能を有していても、それらに接触回転するシリコン含浸ベルトコンベヤー１及び非粘着性ローラー１７の接触面が共にシリコンの成分が強いために、非粘着性で、強力な粘着性の上段及び下段の粘着ローラーと各々接触しても円滑な接触による伝動回転が保障される。
【０００７】
次に上記回動しているシリコン含浸ベルトコンベヤー１上にタオルＴを供給すると、タオルＴは上側より接触回転している上段粘着ローラー７との間を通過し、上段粘着ローラー７が回転しながら接触するタオルＴの表面側に付着しているゴミや毛髪等は上段粘着ローラー７に付着して取除かれる。
次に、前述の上段粘着ローラー７の下側を通過して上下から挾んだ状態で上位回送面５から下方に押し出されるタオル１の進行方向の先端側は、図２の点線矢印に示す如く上位回送面５の下方への反転外周に沿って斜め下に向かって落下し、下段粘着ローラー１２上に移乗してタオル１の落下先端部は、次には、非粘着性ローラー１７との間に進入し、その間を通過する時に下段粘着ローラー１２でタオル１の裏面側のゴミや毛髪等を除去し、その後タオル１は、従来のオシボリ成形機のベルトコンベヤー２上に自動的に落下供給されロール状に巻かれて成形されフイルムＦで包装される。
【０００８】
【実施例】
シリコン含浸ベルトコンベヤー１は、綿の芯体にシリコンを含浸させて無端帯状に形成した、例えば、商品名サンライン、ＡＰタイプ（バンドー化学株式会社製）のものを採用すると好結果が得られた。
また、非粘着性ローラー１７は、例えばシリコンゴムで形成したチューブ（信越化学株式会社製）を鉄材で円筒形に形成した円形外周面に密嵌して形成する。
【０００９】
【発明の効果】
以上説明したように本発明の装置によれば、片方が非粘着性のものと接触回転を行なうために強力な粘着性を有する粘着ローラーを採用することができ、しかも強く挾んで押し付けた状態でのゴミ取りを、タオルの表と裏とは別個に二段階に分けて行なうのでゴミの除去力が大で確実にゴミを除去することができ、自動化による高速処理にも充分に対応することができ、おしぼり自動包装機の作業能率の向上に大きく寄与する。
【図面の簡単な説明】
【図１】本発明のタオルのゴミ装置の主要部を示す斜視図である。
【図２】本発明のタオルのゴミ装置をおしぼり成形機上に取付けた実施例を示す正面図である。
【符号の説明】
１    シリコン含浸ベルトコンベヤー
２    ベルトコンベヤー
３    上位回送面
４    プーリー
５    上位回送面
５′  下位回送面
６    駆動プーリー
７    上段粘着ローラー
８    枢杆
９    腕杆
１０  回転軸
１１  バネ
１２  下段粘着ローラー
１３  枢杆
１４  支持腕杆
１５  先端回転軸
１６  バネ
１７  非粘着性ローラー
１８  回転軸
１９  スプロケット
２０  スプロケット
２１  チエン
２２  駆動モーター
２３  スプロケット
２４  テンション用スプロケット
【図１】
0003732904.tif 000002
【図２】
0003732904.tif 000003